(57)【要約】【課題】アイポイントの確保と観察画像の大画面化を両立させるのに好適な構成の映像表示装置を提供すること。【解決手段】画像を表示する表示素子と、該表示素子に表示された画像が入射される導光部材と、該導光部材に入射された画像を該導光部材内部で全反射させて所定位置に伝搬されるように回折する第一の回折手段と、該所定位置に伝搬された画像を使用者の瞳に向けて回折する、該使用者の眼前に配置された第二の回折手段と、表示素子から第一の回折手段までの光路に配置された、画像を光学的に拡大する画像拡大手段とを有する映像表示装置を提供する。【選択図】図２
2011002778.tif 000002
【特許請求の範囲】
【請求項１】
画像を表示する表示素子と、
前記表示素子に表示された画像が入射される導光部材と、
前記導光部材に入射された画像を該導光部材内部で全反射させて所定位置に伝搬されるように回折する第一の回折手段と、
前記所定位置に伝搬された画像を使用者の瞳に向けて回折する、該使用者の眼前に配置された第二の回折手段と、
前記表示素子から前記第一の回折手段までの光路に配置された、前記画像を光学的に拡大する画像拡大手段と、
を有することを特徴とする映像表示装置。
【請求項２】
前記画像拡大手段は、前記表示素子と前記導光部材との間に配置された拡大レンズであることを特徴とする、請求項１に記載の映像表示装置。
【請求項３】
前記画像拡大手段は、前記第一の回折手段に付与された、前記画像を光学的に拡大する拡大機能であることを特徴とする、請求項１に記載の映像表示装置。
【請求項４】
前記第二の回折手段は、使用者の左右の各眼前に配置された一対の回折手段であって、
前記第一の回折手段は、前記導光部材に入射される画像を２つの同一画像に分離し、該分離された各画像を一対の前記第二の回折手段の各々に入射させるように回折することを特徴とする、請求項１から請求項３の何れか一項に記載の映像表示装置。
【請求項５】
前記画像は、複数種類の波長に対応する色からなるカラー画像であって、
前記第一、前記第二の回折手段の各々は、前記複数種類の波長の光に対応する干渉縞が多重露光により記録されたＨＯＥ（Holographic Optical Element）であることを特徴とする、請求項１から請求項４の何れか一項に記載の映像表示装置。
【請求項６】
前記第一の回折手段は、一対の前記第二の回折手段の各々に前記カラー画像が回折されるように、前記複数種類の波長の光に対応する干渉縞が多重露光により記録された一層のフォトポリマーであることを特徴とする、請求項５に記載の映像表示装置。
【請求項７】
前記第二の回折手段から使用者の瞳に向けて回折された画像の虚像を使用者に観察させるように、請求項１から請求項６の何れか一項に記載の映像表示装置を該使用者の眼前で支持する支持手段を有したことを特徴とするヘッドマウントディスプレイ。
【発明の詳細な説明】
【技術分野】
【０００１】
本発明は、使用者の頭部に装着される映像表示機器であり、表示素子の画像をホログラフィック光学素子（Holographic Optical Element、以下、「ＨＯＥ」と記す。）を用いて使用者の瞳に導くヘッドマウントディスプレイ（Head Mounted Display、以下、「ＨＭＤ」と記す。）、及び該ＨＭＤを構成する映像表示装置に関する。
【背景技術】
【０００２】
近年、使用者の頭部に装着される映像表示機器であるＨＭＤが一般に知られている。ＨＭＤは、表示素子上に表示された画像を光学的に拡大し、拡大された虚像として使用者に観察させるように構成されている。
【０００３】
ところで、ＨＭＤの製品分野においては、使用者に臨場感を与えるべく、観察画像を大画面化させる要望が恒常的にある。かかる要望を実現する典型的な手段としては、大型な表示素子をＨＭＤに搭載することが考えられる。しかし、表示素子のダイサイズが大きくなるほど一枚のウェハから採ることができるダイの個数が減少して、尚かつ歩留まりも低下する。そのため、表示素子が大型化するほど表示素子の製造コストが指数関数的に増加することとなる。表示素子の単価は、ＨＭＤの製造コストのなかでも比較的大きな割合を占める。従って、表示素子の単価の上昇は、ＨＭＤの製品単価の上昇に直結して現れる。コスト面を鑑みると、大型な表示素子を安易に搭載することはできない。
【０００４】
そこで、一般的なＨＭＤには、表示素子を大型化させる代わりに拡大光学系が備えられており、観察画像の大画面化が試みられている。この種のＨＭＤの具体的構成例が特許文献１に開示されている。特許文献１に開示されたＨＭＤには、表示素子の小型化に伴う観察画像のサイズダウンを補うべく、観察画像を拡大する拡大光学系（接眼レンズ）が使用者の眼前に備えられている。
【先行技術文献】
【特許文献】
【０００５】
【特許文献１】特許第３９２１９１５号公報
【発明の概要】
【発明が解決しようとする課題】
【０００６】
特許文献１に開示された構成の場合、表示素子が小型であるほど、広視野角を確保する（すなわち観察画像を大画面化させる）ために、接眼レンズの焦点距離を短く設定する必要がある。しかし、接眼レンズの焦点距離を短くするほどアイポイントが導光板や接眼レンズ等の光学部材に接近して、使用者に圧迫感を与える問題が生じる。そのため、特許文献１のＨＭＤをはじめとする従来型ＨＭＤでは、アイポイント又は観察画像のサイズの何れか一方を犠牲にするか、若しくはアイポイントと観察画像のサイズのバランスを採る折衷的な設計を採用せざるを得なかった。
【０００７】
本発明は上記の事情に鑑みてなされたものであり、その目的とするところは、アイポイントの確保と観察画像の大画面化を両立させるのに好適な構成の映像表示装置、及びＨＭＤを提供することにある。
【課題を解決するための手段】
【０００８】
上記の課題を解決する本発明の一形態に係る映像表示装置は、画像を表示する表示素子と、該表示素子に表示された画像が入射される導光部材と、該導光部材に入射された画像を該導光部材内部で全反射させて所定位置に伝搬されるように回折する第一の回折手段と、該所定位置に伝搬された画像を使用者の瞳に向けて回折する、該使用者の眼前に配置された第二の回折手段を有している。当該映像表示装置においては、画像を拡大する一対の接眼レンズが左右の眼前に配置されるという眼鏡型映像機器の製品分野における技術常識の殻を破り、画像拡大手段が表示素子から第一の回折手段までの光路に配置されていることを特徴としている。焦点距離の短い広視野角レンズを眼前に備えない構成であるため、導光部材等に近接した位置にアイポイントを設定する必要がない。よって、アイポイントを長く設定しつつも観察画像を大画面化させることができる。また、接眼レンズの広視野角化に伴う非点収差や像面歪曲、歪曲収差、倍率色収差等の諸収差の増加が無いため、諸収差に起因する画質劣化が少ない。
【０００９】
画像拡大手段の例として、表示素子と導光部材との間に配置された拡大レンズや、第一の回折手段に付与された、画像を光学的に拡大する拡大機能等が挙げられる。
【００１０】
ここで、本発明に係る映像表示装置は、使用者の左右の各眼に同期した画像を導光すべく、第二の回折手段が各眼前に配置された一対の回折手段であり、第一の回折手段が導光部材に入射される画像を２つの同一画像に分離し、該分離された各画像を一対の第二の回折手段の各々に入射させるように回折する構成としてもよい。
【００１１】
画像は、例えば複数種類の波長に対応する色からなるカラー画像としてもよい。かかる場合、第一、第二の回折手段の各々は、複数種類の波長の光に対応する干渉縞が多重露光により記録されたＨＯＥとしてもよい。更に、第一の回折手段は、一対の第二の回折手段の各々にカラー画像が回折されるように、複数種類の波長の光に対応する干渉縞が多重露光により記録された一層のフォトポリマーで構成されてもよい。
【００１２】
上記の課題を解決する本発明の一形態に係るＨＭＤは、第二の回折手段から使用者の瞳に向けて回折された画像の虚像を使用者に観察させるように、上記の何れかに記載の映像表示装置を該使用者の眼前で支持する支持手段を有したことを特徴としている。
【発明の効果】
【００１３】
本発明によれば、アイポイントの確保と観察画像の大画面化を両立させるのに好適な構成の映像表示装置、及びＨＭＤが提供される。
【図面の簡単な説明】
【００１４】
【図１】本発明の実施形態のＨＭＤの構成を示す斜視図である。
【図２】本発明の実施形態のＨＭＤの構成を模式的に示す側面図である。
【図３】別の実施形態のＨＭＤの構成を模式的に示す側面図である。
【図４】更に別の実施形態のＨＭＤの構成を模式的に示す側面図である。
【発明を実施するための形態】
【００１５】
以下、添付された各図面を参照しつつ、本発明の実施形態のＨＭＤについて詳細に説明する。
【００１６】
図１（ａ）、図１（ｂ）はそれぞれ、本実施形態のＨＭＤ１の構成を示す正面側斜視図、背面側斜視図である。図１（ａ）、図１（ｂ）に示されるように、使用者の頭部に装着される眼鏡型フレーム２の正面部には、眼鏡レンズ３が取り付けられている。眼鏡型フレーム２の取付部２ａには、画像を照明するためのバックライト４が取り付けられている。眼鏡型フレーム２のツル部分には、画像を映し出すための信号処理機器５、及び音声を再生するスピーカ６が取り付けられている。導光板１０は、偏平な光学部材であり、信号処理機器５の回路から引き出された配線を構成するＦＰＣ（Flexible Printed Circuits）７が、眼鏡型フレーム２に沿って配線される。表示素子ユニット（例えば液晶表示素子）２０は、ＦＰＣ７によって使用者の両眼中央位置まで配線され、かつバックライト４の光軸線上に表示素子ユニット２０の略中心部が配置するように保持される。表示素子ユニット２０は、導光板１０の略中央部に位置するように、導光板１０に対して相対的に固定される。表示素子ユニット２０と導光板１０の間には、表示素子ユニット２０によって生成された画像を拡大する拡大レンズ４０が配置されている。使用者の眼前に位置する箇所にはＨＯＥ３２Ｒ、３２Ｌが、それぞれ接着等により導光板１０の第一面１０ａ上に密着固定されている。導光板１０を挟んで拡大レンズ４０と対向する位置には、ＨＯＥ５２Ｒ、５２Ｌが導光板１０の第二面１０ｂ上に積層されている。
【００１７】
図２は、本実施形態のＨＭＤ１の構成を模式的に示す側面図である。なお、図２においては、図面を明瞭化するため、発明の主要部のみが示されており、眼鏡型フレーム２等は図示省略されている。図２に示されるように、ＨＭＤ１は、設計上、表示素子２４と導光板１０の中心を結ぶ中心線Ｘを挟み略左右対称構造を有している。例えばＨＯＥ３２Ｒと３２Ｌは、中心線Ｘを挟み左右対称位置に配置されている（具体的には、ＨＯＥ３２Ｒの中心を通る法線ＸＲと中心線Ｘとの距離ＬＲと、ＨＯＥ３２Ｌの中心を通る法線ＸＬと中心線Ｘとの距離ＬＬとが等しい）。また、表示素子２４から導光板１０に入射された各波長の光は、後述するように２つに分離されて使用者の右眼、左眼のそれぞれに導光される。各眼に導光される各波長の光の光路も、中心線Ｘを挟み略左右対称である。
【００１８】
図２に示されるように、バックライト４は、レーザ光源２１、拡散光学系２２、及びマイクロレンズアレイ２３を有する。表示素子ユニット２０は、表示素子２４を有する画像生成ユニットであり、例えばフィールドシーケンシャル（Field Sequential）方式で駆動する。レーザ光源２１は、Ｒ（ＨｅＮｅレーザ）、Ｇ（Ｈｄ：ＹＡＧレーザ）、Ｂ（Ｈｅ−Ｃｄレーザ）の各波長に対応したレーザ光源を有し、各波長の光を高速（例えば１８０Ｈｚ）で順次照射する。各波長の光は、拡散光学系２２、マイクロレンズアレイ２３に入射され、輝度分布ムラのない均一な光束に変換されて、表示素子２４の表示パネル面に入射される。
【００１９】
表示素子２４は、例えばフィールドシーケンシャル方式で駆動する透過型液晶（LCD
T-LCOS）パネルである。表示素子２４は、各波長の光に、信号処理機器５の画像エンジン（不図示）が生成する画像信号に応じた変調をかける。なお、表示素子ユニット２０は、フィールドシーケンシャル方式の表示素子に限らず、同時式の表示素子（射出面前面に所定の配列のＲＧＢカラーフィルタを有する表示素子）の画像生成ユニットとしてもよい。この場合、光源には、例えば白色光源が使用される。また、表示素子２４は、例えばＤＭＤ（Digital Mirror Device）や反射型液晶（LCOS）パネル、ＭＥＭＳ（Micro Electro Mechanical Systems）、有機ＥＬ（Electro-Luminescence）、無機ＥＬ等の他の形態の表示素子に置換することも可能である。上記の他の形態の各表示素子に置換する場合には、光学部品や構造等の各種構成要素を各表示素子に適した構成に適宜変更する必要がある。
【００２０】
表示素子２４による画素単位の変調によって生成された各波長の画像は、拡大レンズ４０を介して第一面１０ａから導光板１０内部に順次入射される。画像の入射位置と対向する第二面１０ｂ上の位置には、ＨＯＥ５２Ｒ、５２Ｌが積層されている。
【００２１】
ＨＯＥ５２Ｒ、５２Ｌは、例えば矩形状を有する反射型の体積位相型ＨＯＥである。ＨＯＥ５２Ｒ、５２Ｌはそれぞれ、Ｒ、Ｇ、Ｂの各波長の光を右眼、左眼に向けて反射回折するように、各波長の光に対応する干渉縞が各々に記録されたフォトポリマーを三枚積層した構成を有する。ＨＯＥ５２Ｒ、５２Ｌは、各波長の光を反射回折しそれ以外の波長の光を透過する波長選択機能を有するように構成されている。
【００２２】
また、ＨＯＥ５２Ｒ、５２Ｌは、Ｒ、Ｇ、Ｂの各波長の光に対応する干渉縞が三重露光によって記録された一層のフォトポリマーとしてもよい。説明を加えると、使用波長がｎ（ｎは自然数）種類ある場合には、ＨＯＥ５２Ｒ、５２Ｌの層構造は、各波長の光に対応する干渉縞が各々に記録されたフォトポリマーをｎ枚積層したもの、或いは、各波長の光に対応する干渉縞が多重露光によって記録された一層のフォトポリマーとなる。
【００２３】
また、二層のフォトポリマーによってＨＯＥ５２Ｒ、５２Ｌを構成し、Ｒ、Ｇ、Ｂの各波長の光に対応する波長選択機能を付与することも可能である。例として、Ｒ、Ｇの各波長の光に対応する干渉縞が記録された一層のフォトポリマーと、Ｂの波長の光に対応する干渉縞が記録された一層のフォトポリマーの計二層によりＨＯＥ５２Ｒ、５２Ｌを構成することが考えられる。要するに、フォトポリマーの感度等の条件により、層数を適宜良好な条件に合うように構成することが可能である。例えばＲ光に対して感度の低いフォトポリマーを用いる際、Ｒの一層とＧ，Ｂを二重露光した一層とを重ね合わせ、ＲＧＢに対応した構造を二層構造で提供することが考えられる。露光用レーザの強度によって層構造等を適宜選択することもできる。
【００２４】
なお、ＨＯＥ３２Ｒ、３２Ｌも反射型の体積位相型ＨＯＥであり、ＨＯＥ５２Ｒ、５２Ｌと同一の層構造を有する。ＨＯＥ３２Ｒ、３２ＬとＨＯＥ５２Ｒ、５２Ｌは、例えば干渉縞パターンのピッチが略同一であってもよい。
【００２５】
ＨＯＥ５２Ｒと５２Ｌは、互いの中心が一致し、かつ干渉縞パターンが１８０（ｄｅｇ）反転された状態で積層されている。ＨＯＥ５２Ｒと５２Ｌは、積層された状態でその中心が中心線Ｘと一致するように、導光板１０の第二面１０ｂ上に接着等により密着固定されている。ＨＯＥ５２Ｒ、５２Ｌには、拡大レンズ４０によって拡大された各波長の画像が順次入射される。
【００２６】
ＨＯＥ５２Ｒ、５２Ｌはそれぞれ、順次入射される各波長の画像を右眼、左眼に導くため、所定の角度を付与して反射回折する。ＨＯＥ５２Ｒ、５２Ｌによって反射回折された各波長の画像は、略平行光に変換されて、導光板１０と空気との界面で全反射を繰り返して導光板１０内部を伝搬される。導光板１０内部を伝搬されたＨＯＥ５２Ｒ、５２Ｌによる反射回折画像はそれぞれ、ＨＯＥ３２Ｒ、３２Ｌに入射される。ここで、ＨＯＥ５２Ｒ、５２Ｌは、各波長の画像に同一の回折角を付与している。そのため、導光板１０に対する入射位置が略同一の（あるいは別の表現によれば、表示素子２４の有効画素領域内の略同一座標から射出された）全ての波長の光は、導光板１０内部の略同一の光路を伝搬して、ＨＯＥ３２Ｒ、３２Ｌ上の略同位置に入射する。別の観点によれば、ＨＯＥ５２Ｒ、５２Ｌは、表示素子２４の有効画素領域に表示された画像の該有効画素領域内における画素位置関係がＨＯＥ３２Ｒ、３２Ｌ上で忠実に再現されるようにＲ、Ｇ、Ｂの各波長の光を反射回折する。
【００２７】
このように、本実施形態においてＨＯＥ５２Ｒ、５２Ｌはそれぞれ、表示素子２４の有効画素領域内の略同一座標から射出された全ての波長の光をＨＯＥ３２Ｒ、３２Ｌ上の略同位置に入射させるように反射回折する。一方、別の実施形態においては、ＨＯＥ５２Ｒ、５２Ｌは、表示素子２４の有効画素領域内で相対的にずらされた本来同一画素をなす全ての波長の光をＨＯＥ３２Ｒ、３２Ｌ上の略同位置に入射させるように反射回折するように構成されてもよい。
【００２８】
ＨＯＥ３２Ｒ、３２Ｌ上に入射された各波長の画像は、ＨＯＥ３２Ｒ、３２Ｌによって略平行光のまま反射回折されて、導光板１０の第二面１０ｂから外部に順次射出される。このように、略平行光として射出された各波長の画像はそれぞれ、表示素子２４によって生成された画像の虚像として使用者の右眼網膜、左眼網膜に結像する。
【００２９】
本出願人は、ＨＭＤのような眼鏡型映像機器の製品分野における技術常識（すなわち、拡大作用をもつ一対の接眼レンズを左右の眼前に配置し、当該レンズを介した観察を使用者にさせるという固定観念）に囚われることなく、一対の接眼レンズを眼前の位置から排除して、拡大レンズ４０を表示素子２４近傍に配置した構成を採用している。
【００３０】
すなわち、本実施形態のＨＭＤ１においては、画像の光学的拡大作用を表示素子２４近傍に配置された拡大レンズ４０に負担させることにより、視野角の広い接眼レンズを眼前から排除できたため、導光板や接眼レンズ等の光学部材に近接した位置にアイポイントを設定する必要がなくなった。よって、アイポイントを長く設定しつつも観察画像を大画面化させることができる。また、接眼レンズの広視野角化に伴う非点収差や像面歪曲、歪曲収差、倍率色収差等の諸収差の増加が無いため、諸収差に起因する画質劣化が少ない。
【００３１】
ここで、第二面１０ｂから射出された各波長の画像は、使用者の網膜上に高速で順次結像される。よって、使用者は、表示素子２４による生成画像をカラー画像として認識することとなる。なお、使用者の眼と表示素子２４との実際の距離は、数十ｍｍ程度に過ぎない。しかし、各波長の画像は略平行光として眼球に入射されるため、使用者は、無限遠視したときに表示素子２４による生成画像を明瞭に視認することができる。また、体積位相型の反射型ＨＯＥであるＨＯＥ３２Ｒ、３２Ｌは、回折効率の半値幅が狭く外界像の光の透過率が高い。そのため、使用者は、外界像を表示素子２４の表示画像と共に明瞭に観察することができる。
【００３２】
なお、本実施形態においては、右眼用、左眼用の表示素子を別個に備えること無く単板の表示素子２４を備える構成が採用されている。更に、拡大レンズ４０をＨＯＥ５２Ｒ、５２Ｌの前段に配置することにより、右眼用、左眼用の拡大レンズの共通化が図られている。このため、製造コストダウン等の効果が得られる。また、共通の物点からの光（すなわち単板の表示素子２４の画像）を左右で同じ光路長を経て使用者の各眼に導光している。このため、使用者の各眼に対して同期した画像を入射させることができる。また、ＨＯＥ５２Ｒ、５２Ｌに達するまでの右眼、左眼への導光路が共通であるため、各種光学部品の個体差等に起因する左右の各眼に導かれる画像のばらつきが少ない。
【００３３】
以上が本発明の実施形態の説明である。本発明は、実施形態の構成に限定されるものではなく、本発明の技術的思想の範囲において様々な変形が可能である。
【００３４】
図３は、別の実施形態のＨＭＤ１の構成を模式的に示す、図２と同様の側面図である。なお、図３の実施形態において、図２の実施形態の構成と同一の又は同様の構成には同一の又は同様の符号を付して説明を省略する。別の実施形態のＨＭＤ１は、拡大レンズ４０を有しない代わりに、拡大レンズ４０と同様の光学的拡大作用がＨＯＥ５２Ｒと５２Ｌに付与されている。別の実施形態によれば、拡大レンズ４０が削減されるため、ＨＭＤ１の製造コストダウン、小型化、軽量化等の効果が得られる。
【００３５】
図４は、更に別の実施形態のＨＭＤ１の構成を模式的に示す、図３と同様の側面図である。更に別の実施形態においては、ＨＯＥ５２Ｒと５２Ｌが単一のＨＯＥ５２で構成されている。ＨＯＥ５２は、具体的には、一層のフォトポリマーを六重露光して、当該一層に、左右各眼用のＲ、Ｇ、Ｂの各波長の光に対応する波長選択機能を付与したものである。ＨＯＥ５２を採用した場合、ＨＯＥ５２Ｒと５２Ｌとの個体差（例えば各層の膜厚誤差や製造時の諸条件に起因する干渉縞パターンのばらつき等）に伴う左右の画質のばらつきや画質自体の劣化（例えば色ずれや色むら、画像の歪み等）が軽減される。また、各眼又は各波長に対応する画像は同一のフォトポリマー層で反射回折されるため、各眼又は各波長に対応する画像に関して、フォトポリマー層を複数積層したことに起因する光路長差が生じない。
【００３６】
本実施形態のＨＭＤ１より更に拡大した画像を使用者に観察させるため、ＨＯＥ３２Ｒ、３２Ｌにコンデンサ作用を付与してもよい。すなわち、ＨＯＥ３２Ｒ、３２Ｌの周辺領域に入射された光ほど瞳の中心に寄るように角度をもって射出され使用者の網膜に結像させるようにしてもよい。かかる場合、使用者は、視野角の広い接眼レンズを有する従来型ＨＭＤの使用時ほどアイポイントを導光板１０に接近させなくとも、大画面化された画像を観察することができる。ここで、コンデンサ作用は、ＨＯＥ３２Ｒ、３２Ｌ等のＨＯＥレンズによって付与されることが望ましい。当該作用を例えば通常の光学レンズで付与した場合には、光学レンズを通過する外界の景色も拡大される。一方、ＨＯＥレンズの場合には、所定の角度で入射された光以外は回折されない。所定の角度で入射される光は、原則、導光板１０内部を伝搬された光に限られる。伝搬光以外で回折される光は、透過型ＨＯＥでは非常に希で反射型ＨＯＥでは皆無である。また、回折される光の波長範囲は狭い。よって、ＨＯＥレンズを通過した外界の景色がコンデンサ作用で拡大されることは実質的に無い。すなわち、使用者は従来型ＨＭＤと異なり、外界の景色を損なうことなく画像を観察することができる。
【００３７】
ＨＯＥ３２Ｒ、３２Ｌ、５２Ｒ、５２Ｌは、例えば透過型ＨＯＥであってもよい。かかる場合、ＨＯＥ５２Ｒ、５２Ｌは、例えば表示素子ユニット２０に対向する導光板１０の第一面１０ａ上に積層された状態で密着固定され、表示素子ユニット２０からの各波長の光を導光板１０内部で全反射させてＨＯＥ３２Ｒ又は３２Ｌに伝搬されるように回折する。ＨＯＥ３２Ｒ、３２Ｌは、例えば使用者の瞳に対向する導光板１０の第二面１０上に密着固定され、導光板１０内部を伝搬された各波長の光を使用者の瞳に向かって回折する。
【００３８】
ＨＯＥ３２Ｒ、３２Ｌ、５２Ｒ、５２Ｌの少なくとも１つのＨＯＥは、ＤＯＥ（Diffractive Optics Element）に置き換え可能である。例えば全てのＨＯＥをＤＯＥに置き換えてもよく、又はＨＯＥ３２Ｒと３２Ｌを共に、或いはＨＯＥ５２Ｒと５２Ｌを共にＤＯＥに置き換えてもよく、若しくはＨＯＥ３２Ｒ又は３２Ｌの何れか一方、又はＨＯＥ５２Ｒ又は５２Ｌの何れか一方をＤＯＥに置き換えてもよい。すなわち、ＨＯＥとＤＯＥとの置き換えには様々なパターンが想定される。
【００３９】
また、表示素子ユニット２０が有する光源２１は、例えばＲ、Ｇ、Ｂの各波長の光を高速で順次照射するＬＥＤ又はＬＤ（半導体レーザ）バックライトとしてもよい。
【符号の説明】
【００４０】
１  ＨＭＤ
２  眼鏡型フレーム
４  バックライト
１０  導光板
２０  表示素子ユニット
３２Ｒ、３２Ｌ、５２Ｒ、５２Ｌ  ＨＯＥ
４０  拡大レンズ
【図１】
2011002778.tif 000003
【図２】
2011002778.tif 000004
【図３】
2011002778.tif 000005
【図４】
2011002778.tif 000006